(57)【要約】【課題】家具本体に対して棚装置の取付用の加工を施す必要がなく、かつ家具本体に対して容易に取り付けることができる棚装置を提供すること。【解決手段】家具本体２の正面側に取り付けられて、物品を載置できる棚部１３を有する棚装置１であって、棚装置１は、家具本体２の左右方向に延びる天板４の一部を被覆する被覆板部１１を有し、被覆板部１１には、天板４の縁辺から略垂下される垂下板部１２が固着されており、垂下板部１２の正面側に棚部１３が設けられる。【選択図】図１
2010005146.tif 000002
【特許請求の範囲】
【請求項１】
家具本体の正面側に取り付けられて、物品を載置できる棚部を有する棚装置であって、
前記棚装置は、前記家具本体の左右方向に延びる天板の一部を被覆する被覆板部を有し、該被覆板部には、前記天板の縁辺から略垂下される垂下板部が固着されており、該垂下板部の正面側に前記棚部が設けられることを特徴とする棚装置。
【請求項２】
前記棚装置は、側面視で略逆Ｌ字形状をなし、前記棚装置の前記家具本体に対する取付状態において、前記被覆板部の下面全体が前記天板の上面に当接されることを特徴とする請求項１に記載の棚装置。
【請求項３】
前記家具本体は、前記天板の前方側の縁辺よりも後方位置に配置された正面板を有し、かつ前記棚装置は、前記垂下板部の下部を後方に折曲して形成された下部折曲部を有し、前記棚装置の前記家具本体に対する取付状態において、前記下部折曲部が前記正面板に当接されることを特徴とする請求項１または２に記載の棚装置。
【請求項４】
前記棚装置は、前記被覆板部の後端部を下方に折曲して形成された後端折曲部を有し、前記棚装置の前記家具本体に対する取付状態において、前記後端折曲部が前記天板の後縁に当接されることを特徴とする請求項１ないし３のいずれかに記載の棚装置。
【請求項５】
前記家具本体は、前記天板よりも後方位置に配置される作業天板を有しており、前記棚装置は、前記作業天板に対して離間されて取り付けられることを特徴とする請求項１ないし４のいずれかに記載の棚装置。
【発明の詳細な説明】
【技術分野】
【０００１】
本発明は、接客用カウンタなどの家具本体の正面側に取り付けられて、物品を載置できる棚部を有する棚装置に関する。
【背景技術】
【０００２】
従来、接客用カウンタにおいて、その前側に、顧客が所持している手荷物を一時的に置くための手荷物棚を設けたものがある。このような手荷物棚には、ネジによってカウンタの前面板に固着させるものがある（例えば、特許文献１参照）。
【０００３】
また、カウンタの主天板の前端部より垂下する前覆板の上部に、前方に向かって開口する左右方向の係止溝を設け、この係止溝に、受付構成部材である手荷物載置台を、左右方向に取付位置調整可能として係止しているものもある（例えば、特許文献２参照）。
【０００４】
【特許文献１】特開２００４−３２１５０３号公報（第３頁、第１図）
【特許文献２】特開２００８−１２２０１号公報（第５頁、第１図）
【発明の開示】
【発明が解決しようとする課題】
【０００５】
しかしながら、特許文献１に記載の手荷物棚にあっては、手荷物棚（棚装置）がネジによってカウンタ（家具本体）の前面板に固着されるため、手荷物棚の左右方向の位置変更ができないばかりか、前面板に対してネジ挿通孔などを形成しなければならず、手荷物棚のカウンタに対する取付作業が煩雑になるという問題がある。
【０００６】
また、特許文献２に記載のカウンタ装置にあっては、手荷物載置台（棚装置）の左右方向の位置変更は可能であるものの、カウンタ（家具本体）の前面板に対して係止溝を形成する加工を行うことが必要であり、その加工を行う分、カウンタの製造コストが嵩んでしまうという問題がある。
【０００７】
本発明は、このような問題点に着目してなされたもので、家具本体に対して棚装置の取付用の加工を施す必要がなく、かつ家具本体に対して容易に取り付けることができる棚装置を提供することを目的とする。
【課題を解決するための手段】
【０００８】
前記課題を解決するために、本発明の請求項１に記載の棚装置は、
家具本体の正面側に取り付けられて、物品を載置できる棚部を有する棚装置であって、
前記棚装置は、前記家具本体の左右方向に延びる天板の一部を被覆する被覆板部を有し、該被覆板部には、前記天板の縁辺から略垂下される垂下板部が固着されており、該垂下板部の正面側に前記棚部が設けられることを特徴としている。
この特徴によれば、家具本体に対して棚装置の取付用の加工を施す必要がなく、家具本体の形状を活かして棚装置を家具本体に容易に取り付けることができ、かつ棚装置は、天板に沿って左右位置を変更可能な状態で取り付けられる。
【０００９】
本発明の請求項２に記載の棚装置は、請求項１に記載の棚装置であって、
前記棚装置は、側面視で略逆Ｌ字形状をなし、前記棚装置の前記家具本体に対する取付状態において、前記被覆板部の下面全体が前記天板の上面に当接されることを特徴としている。
この特徴によれば、被覆板部全体が天板に当接されることによって、家具本体に対して棚装置が安定して支持されるようになり、かつ別途に取付用の部材等を用いることなく、簡素な構成で棚装置を製作することができる。
【００１０】
本発明の請求項３に記載の棚装置は、請求項１または２に記載の棚装置であって、
前記家具本体は、前記天板の前方側の縁辺よりも後方位置に配置された正面板を有し、かつ前記棚装置は、前記垂下板部の下部を後方に折曲して形成された下部折曲部を有し、前記棚装置の前記家具本体に対する取付状態において、前記下部折曲部が前記正面板に当接されることを特徴としている。
この特徴によれば、棚装置の下部折曲部が家具本体の正面板に当接されるため、垂下板部が傾き難くなり、垂下板部の下部の前後方向の揺動を防止し、棚装置を安定的に取り付けることができる。
【００１１】
本発明の請求項４に記載の棚装置は、請求項１ないし３のいずれかに記載の棚装置であって、
前記棚装置は、前記被覆板部の後端部を下方に折曲して形成された後端折曲部を有し、前記棚装置の前記家具本体に対する取付状態において、前記後端折曲部が前記天板の後縁に当接されることを特徴としている。
この特徴によれば、家具本体の天板が棚装置の上部に被嵌されるようになり、棚装置が天板の左右方向に対して移動可能な状態を制限しないで、棚装置の前後方向の移動を防止することができる。
【００１２】
本発明の請求項５に記載の棚装置は、請求項１ないし４のいずれかに記載の棚装置であって、
前記家具本体は、前記天板よりも後方位置に配置される作業天板を有しており、前記棚装置は、前記作業天板に対して離間されて取り付けられることを特徴としている。
この特徴によれば、天板が棚装置の被覆板部により被覆されても、作業天板上では、棚装置の被覆板部や垂下板部が邪魔にならずに作業を行うことができる。
【発明を実施するための最良の形態】
【００１３】
本発明に係る棚装置を実施するための最良の形態を実施例に基づいて以下に説明する。
【実施例】
【００１４】
本発明の実施例を図面に基づいて説明すると、先ず図１は、実施例におけるカウンタ装置を示す斜視図であり、図２は、カウンタ装置を示す正面図であり、図３は、カウンタ装置を示す平面図であり、図４は、図３におけるカウンタ装置を示すＡ−Ａ縦断側面図である。以下、図１の紙面左下側をカウンタ装置の正面側（前方側）とし、図２の紙面手前側をカウンタ装置の正面側（前方側）とし、図３の紙面下側をカウンタ装置の正面側（前方側）とし、図４の紙面左側をカウンタ装置の正面側（前方側）として説明する。
【００１５】
図１の符号１は、本発明の適用されたカウンタ装置である。このカウンタ装置１は、主に接客用として受付窓口などに設置されて使用される。図１に示すように、カウンタ装置１は、本実施例における家具本体としてのカウンタ本体２と、このカウンタ本体２の正面側に取り付けられる２つの棚装置３と、で構成されている。
【００１６】
図２に示すように、カウンタ本体２は、左右方向に長い箱体形状をなしている。カウンタ本体２の上部には、本実施例における天板としての上部天板４が設けられている。上部天板４は、左右方向に延びる板状部材となっており、上部天板４の高さは、カウンタ本体２の正面側に立つ客が作業を行い高さに設定されている。
【００１７】
図３及び図４に示すように、上部天板４よりも後方位置には、作業天板５が配置されている。この作業天板５の高さは、上部天板４の高さよりも低くなっている。この作業天板５の高さは、カウンタ本体２の背面側に設置された椅子（図示略）に腰掛けた受付作業員が作業を行い高さに設定されている。作業天板５の高さが上部天板４の高さよりも低いことで、受付作業員が作業天板５上に配置している書類や機器類が、上部天板４によって客側から見え難くすることができる。
【００１８】
尚、上部天板４の前後方向の幅は、作業天板５の前後方向の幅よりも小さく形成されている。更に尚、上部天板４の下方には、正面板６が配置されており、この正面板６の正面は、上部天板４の前方側の縁辺よりも若干後方位置に配置されている。
【００１９】
また、作業天板５の下方位置には、上下２段の補助棚７が設けられており、それぞれ正面板６の背面に固着されている。尚、前述した作業天板５も正面板６の背面側に固着されている。更に、カウンタ本体２の左右両側には、側板８が設けられるとともに、補助棚７を左右方向に仕切る仕切板９も設けられている。カウンタ本体２は、側板８及び仕切板９に取り付けられたアジャスタ１０を用いて床面上に設置されている。
【００２０】
図１に示すように、前述した棚装置３は、上部天板４に取り付けられるようになっている。棚装置３は、カウンタ本体２の左右方向に延びる天板の一部を被覆する被覆板部１１を有し、この被覆板部１１には、上部天板４の前方側の縁辺から略垂下される垂下板部１２が固着されている。尚、垂下板部１２の上下寸法は、被覆板部１１の前後寸法より大きくなるように形成されている。棚装置３は、被覆板部１１と垂下板部１２とにより側面視で略逆Ｌ字形状をなすように形成されている（図４参照）。
【００２１】
図２及び図３に示すように、垂下板部１２の正面側には、４段の棚部１３が設けられている。この棚部１３には、カウンタ装置１の正面側に立つ客の荷物を一次的に置いたり、装飾用の物品を載置したりすることができる。
【００２２】
この棚部１３の左右幅は、垂下板部１２の左右幅より小さく形成されている。棚部１３は、その後端部が側面視で直角に屈曲された板状部材をなしており、垂下板部１２に形成された前後方向に貫通するスリット１４に後方側から挿設されている（図４参照）。
【００２３】
図４に示すように、棚装置３は、被覆板部１１の後端部を下方に直角に折曲して形成された後端折曲部１５を有している。棚装置３のカウンタ本体２に対する取付状態において、後端折曲部１５が上部天板４の後縁辺に当接されるようになっている。尚、後端折曲部１５の上下幅は、上部天板４から作業天板５までの距離よりも短くなるように形成されており、この後端折曲部１５は、作業天板５に対して離間されて配置されるようになっている。
【００２４】
更に、棚装置３は、垂下板部１２の下端部を後方に直角に折曲して形成された下部折曲部１６を有している。棚装置３のカウンタ本体２に対する取付状態において、棚装置３の下部折曲部１６がカウンタ本体２の正面板６に当接されるようになっている。
【００２５】
尚、棚装置３のカウンタ本体２に対する取付状態において、垂下板部１２の下端部及び下部折曲部１６は、床面から離れて配置されるようになっている。すなわち棚装置３の上下方向の長さは、カウンタ本体２の序下方向の長さ（高さ）よりも短くなっている。そのためカウンタ本体２の正面側に立つ客の爪先等が垂下板部１２に当たらないようになっている。
【００２６】
棚装置３をカウンタ本体２に対して取り付ける際には、棚装置３の被覆板部１１及び後端折曲部１５を上方からカウンタ本体２の上部天板４に被嵌させる。すると、被覆板部１１の下面全体が上部天板４の上面に当接されて、上部天板４の前縁に垂下板部１２が当接するとともに、上部天板４の後縁に後端折曲部１５が当接されるようになる。このように、棚装置３上部がカウンタ本体２の上部天板４を被嵌することで、棚装置３は前後移動が不能な状態でカウンタ本体２に取り付けられても、棚装置３は、上部天板４に沿って左右方向に移動が可能な状態となる。
【００２７】
以上、本実施例における棚装置３では、棚装置３は、カウンタ本体２の左右方向に延びる上部天板４の一部を被覆する被覆板部１１を有し、この被覆板部１１には、上部天板４の縁辺から略垂下される垂下板部１２が固着されており、この垂下板部１２の正面側に棚部１３が設けられることで、カウンタ本体２に対して棚装置３の取付用の加工等を施す必要がなくなり、カウンタ本体２自体の形状を活かして棚装置３をカウンタ本体２に容易に取り付けることができるようになる。かつ棚装置３は、上部天板４に沿って左右位置を変更可能な状態で取り付けられるようになり、カウンタ装置１を使用する受付作業員の配置状態に応じて適宜棚装置３の左右位置を変更することができる。
【００２８】
また、棚装置３は、側面視で略逆Ｌ字形状をなし、棚装置３のカウンタ本体２に対する取付状態において、被覆板部１１の下面全体が上部天板４の上面に当接されることで、カウンタ本体２に対して棚装置３が安定して支持されるようになり、かつ別途に取付用の部材等を用いることなく、簡素な構成で棚装置３を製作することができる。
【００２９】
また、カウンタ本体２は、上部天板４の前方側の縁辺よりも後方位置に配置された正面板６を有し、かつ棚装置３は、垂下板部１２の下部を後方に折曲して形成された下部折曲部１６を有し、棚装置３のカウンタ本体２に対する取付状態において、下部折曲部１６が正面板６に当接されることで、垂下板部１２が傾き難くなり、垂下板部１２の下部の前後方向の揺動を防止し、棚装置３を安定的に取り付けることができる。
【００３０】
尚、本実施例のように、垂下板部１２の上下寸法が被覆板部１１の前後寸法より大きい場合には、垂下板部１２の背面が正面板６の正面から離間されて配置されると、垂下板部１２の下部が正面板６に向かって近づくように傾き易くなる。そのため下部折曲部１６が積極的に正面板６の正面側に当接されるようになっており、下部折曲部１６が正面板６に当接され易くなっている。尚、下部折曲部１６が重りの代わりにもなっており、垂下板部１２の下部が前後方向に揺動し難くなっている。
【００３１】
また、棚装置３は、被覆板部１１の後端部を下方に折曲して形成された後端折曲部１５を有し、棚装置３のカウンタ本体２に対する取付状態において、後端折曲部１５が上部天板４の後縁に当接されることで、カウンタ本体２の上部天板４が棚装置３の上部に被嵌されるようになり、棚装置３が上部天板４の左右方向に対して移動可能な状態を制限しないで、棚装置３の前後方向の移動を防止することができる。
【００３２】
また、カウンタ本体２は、上部天板４よりも後方位置に配置される作業天板５を有しており、棚装置３は、作業天板５に対して離間されて取り付けられることで、上部天板４が棚装置３の被覆板部１１により被覆されても、作業天板５上では、棚装置３の被覆板部１１や垂下板部１２が邪魔にならずに作業を行うことができる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、被覆板部１１の下面全体が上部天板４の上面に当接されることで、カウンタ本体２に対して棚装置３が安定して支持されるようになっているが、被覆板部１１の下面に吸盤等の吸着部材を取り付けて、その吸着部材が上部天板４の上面に吸着される構成としてもよい。
【００３５】
また、前記実施例では、垂下板部１２の下端部及び下部折曲部１６は、床面から離れて配置されるようになっているが、垂下板部１２の下端部及び下部折曲部１６を床面に当接させる構成としてもよく、このようにすれば、棚装置３の自重が床面により支持されるようになる。
【図面の簡単な説明】
【００３６】
【図１】実施例におけるカウンタ装置を示す斜視図である。
【図２】カウンタ装置を示す正面図である。
【図３】カウンタ装置を示す平面図である。
【図４】図３におけるカウンタ装置を示すＡ−Ａ縦断側面図である。
【符号の説明】
【００３７】
１                カウンタ装置
２                カウンタ本体（家具本体）
３                棚装置
４                上部天板（天板）
５                作業天板
６                正面板
１１              被覆板部
１２              垂下板部
１３              棚部
１５              後端折曲部
１６              下部折曲部
【図１】
2010005146.tif 000003
【図２】
2010005146.tif 000004
【図３】
2010005146.tif 000005
【図４】
2010005146.tif 000006